(57)【要約】【課題】溶接作業なしで作業性良く下地材に固定できるうえに、高い安定性と耐荷重性を得られるようにする。【解決手段】下地材１２を挟み付けて下地材１２上に固定される挟持金具３１を備え、挟持金具３１を介して屋根板１３を支持する屋根板取り付け金具１１において、挟持金具３１を、下地材１２の幅方向で対峙する一対の挟持金具担体３２，３３で構成し、挟持金具担体３２，３３同士を下地材１２の幅方向で締め付ける締結具５１と、挟持金具担体３２，３３に挟持される被挟持金具７１を備える。挟持金具担体３２，３３には、上下方向に延びる垂直片３４の下端から下地材１２の幅方向外側下方に向けて斜めに延びる傾斜片３５と、傾斜片３５の下端から水平方向に延びる接地片３６と、接地片３６の先端から下方へ曲がって下地材１２の幅方向の端部に係止する係止部３７を形成する。被挟持金具７１には、下地材１２に接する支持脚７３を形成する。【選択図】図３
2019183478.tif 000002
【特許請求の範囲】
【請求項１】
下地材を挟み付けて前記下地材上に固定される挟持金具を備え、前記挟持金具を介して屋根板を支持する屋根板取り付け金具であって、
前記挟持金具が、下地材の幅方向で対峙する一対の挟持金具担体と、前記挟持金具担体同士を前記下地材の幅方向で締め付ける締結具を備え、
前記挟持金具担体が、上下方向に延びる垂直片の下端から前記下地材の幅方向外側下方に向けて斜めに延びる傾斜片と、前記傾斜片の下端から水平方向に延びる接地片と、前記接地片の先端から下方へ曲がり前記下地材の幅方向の端部に係止する係止部を有するとともに、
前記挟持金具担体の前記垂直片に挟持される被挟持金具を備え、
前記被挟持金具が、前記下地材まで下方に延びて前記下地材に接する支持脚を有する
屋根板取り付け金具。
【請求項２】
前記接地片が前記下地材の幅方向の端部の上面に接するものである
請求項１に記載の屋根板取り付け金具。
【請求項３】
前記下地材の幅方向の端部の上面に接する接面部が前記支持脚から延設された
請求項１または請求項２に記載の屋根板取り付け金具。
【請求項４】
前記接地片と前記係止部を覆う補助金具を備えた
請求項１から請求項３のうちいずれか一項に記載の屋根板取り付け金具。
【請求項５】
前記補助金具が前記下地材の幅方向の端部を下から挟み付ける挟圧片を有する
請求項４に記載の屋根板取り付け金具。
【請求項６】
前記補助金具に、前記挟圧片を上方に締め付ける緊結部材を備えた
請求項５に記載の屋根板取り付け金具。
【請求項７】
前記補助金具に嵌入穴が形成されるとともに、
前記接地片に、上方に起立して前記嵌入穴に嵌入する筒部が一体形成された
請求項４から請求項６に記載の屋根板取り付け金具。
【請求項８】
前記接面部の先に、前記下地材の幅方向の端部を下から挟み付ける挟圧片が形成された
請求項３に記載の屋根板取り付け金具。
【請求項９】
前記接面部に、前記挟圧片を上方に締め付ける緊結部材を備えた
請求項８に記載の屋根板取り付け金具。
【請求項１０】
前記挟持金具担体のうちの一方の挟持金具担体の上端部に、前記屋根板を取り付ける取り付けボルトが設けられ、
前記挟持金具担体のうちの他方の挟持金具担体の上端部に、前記屋根板を受ける受け片が形成された
請求項１から請求項９のうちいずれか一項に記載の屋根板取り付け金具。
【請求項１１】
前記被挟持金具の上端部に、前記取り付けボルトを有する挟持金具担体の側に延びて前記屋根板を受ける受け片が形成された
請求項１０に記載の屋根板取り付け金具。
【請求項１２】
前記被挟持金具の上端部に、前記屋根板を取り付ける係止金具のための取り付けボルト又は前記屋根板を受ける受け片のうちの少なくともいずれか一方が形成された
請求項１から請求項９のうちいずれか一項に記載の屋根板取り付け金具。
【請求項１３】
請求項１から請求項１２のうちいずれか一項に記載の屋根板取り付け金具を備えた
屋根構造。
【発明の詳細な説明】
【技術分野】
【０００１】
この発明は、下地材の上に屋根板を固定するための屋根板取り付け金具に関し、より詳しくは、溶接せずに固定できる屋根板取り付け金具に関する。
【背景技術】
【０００２】
溶接作業なしで固定できる屋根板取り付け金具としては、下記特許文献１に開示されているものがある。
【０００３】
この金具は、互いに接合される一対の屋根板固定材で構成されており、これら屋根板固定材は細幅の薄板状であって、共に同じような形状をしている。すなわち屋根板固定材は、下から順に、下地材としてのＨ鋼のフランジの幅方向の端部に係合するコ字状の係合部と、係合部から上方斜めに延びる支持脚と、支持脚から鉛直上方に延びる中間胴部と、中間胴部から上方に延びて吊子を挟んで保持する上端部を有している。中間胴部と上端部とにはボルトナットが備えられ、中間胴部のボルトナットによって屋根板固定材同士が重なり合って下地材に対する係合部の係合状態を保持するとともに、上端部のボトルナットによって吊子を保持する。
【０００４】
吊子は屋根板固定材の間に挟んで保持するものであるため、吊子の向きをＨ鋼の幅方向と同じ方向に向けるため、中間胴部は９０度ひねった形状である。
【０００５】
このような構成の屋根板取り付け金具では、Ｈ鋼に対する固定は主に一組のボルトナットの締結で行えるので作業性がよいが、上からの荷重で支持脚が開く方向の力が作用するうえに、ひねった形状の中間胴部には変形の力が作用しやすいので、高い安定性と耐荷重性を得にくかった。
【０００６】
下記特許文献２の屋根板取り付け金具のように、特許文献１の係合部に対応する係止部材の係止する部位を深く形成して、支持脚に対応する構成を省略するとともに、Ｈ鋼のフランジのすぐ上に対応する位置にボルトナットを備えて、締め付けて固定する構造もある。
【０００７】
この構成でも、一組のボルトナットの締め付けで固定できて作業性が良い。そのうえ、高い安定性と耐荷重性が得られる。しかし、一方の係止部材に吊子を固定する部位を立設し、他方の係止部材はＨ鋼に係止する部位のみで構成されているので、一方の係止部材には特許文献１の中間胴部のように吊子の固定向きを９０度変えるための構成を有していることとあいまって、負圧が作用して吊子を固定している部位が上方に引き上げられた場合に、吊子の固定向きを変えるための構成部分に集中荷重がかかるおそれがある。
【０００８】
特許文献３の屋根板取り付け金具では、一対の対向脚板部の上端を頂板部で連結した門型形状の一つの金具本体を備え、対向脚板部の下端部に形成されＨ鋼の幅方向の端部に嵌る嵌合挟持溝を、嵌合挟持溝のすぐ上の位置に貫通保持したボルトで締め付けて、金具本体を変形させて対向脚板部の嵌合挟持溝をＨ鋼に嵌める構成が採用されている。吊子は、金具本体の上端面の頂板部に保持される。
【０００９】
このような金具では、Ｈ鋼に対する固定時において、金具本体の対向脚板部が間隔をあけて並ぶので、比較的高い耐荷重性が得られるものの、嵌合挟持溝は、金具本体の対向脚板部の下端部が互いに接近する方向に回転させて変形したときにＨ鋼のフランジに係合するものであるため、嵌合挟持溝は対向脚板部の相対向する内面に対して傾斜している。つまり、嵌合挟持溝部分には、固定時にＨ鋼に接して荷重を支持する面積を広く得られない。このため、高い安定性と耐荷重性は得にくい。
【先行技術文献】
【特許文献】
【００１０】
【特許文献１】特開平５−２７２２００号公報
【特許文献２】実公平７−５４４２５号公報
【特許文献３】登録実用新案第３２１３０１２号公報
【発明の概要】
【発明が解決しようとする課題】
【００１１】
この発明は、溶接作業なしで作業性良く下地材に固定できるうえに、高い安定性と耐荷重性を得られるようにすることを主な目的とする。
【課題を解決するための手段】
【００１２】
そのための手段は、下地材を挟み付けて前記下地材上に固定される挟持金具を備え、前記挟持金具を介して屋根板を支持する屋根板取り付け金具であって、前記挟持金具が、下地材の幅方向で対峙する一対の挟持金具担体と、前記挟持金具担体同士を前記下地材の幅方向で締め付ける締結具を備え、前記挟持金具担体が、上下方向に延びる垂直片の下端から前記下地材の幅方向外側下方に向けて斜めに延びる傾斜片と、前記傾斜片の下端から水平方向に延びる接地片と、前記接地片の先端から下方へ曲がり前記下地材の幅方向の端部に係止する係止部を有するとともに、前記挟持金具担体の前記垂直片に挟持される被挟持金具を備え、前記被挟持金具が、前記下地材まで下方に延びて前記下地材に接する支持脚を有する屋根板取り付け金具である。
【００１３】
この構成では、締結具によって、挟持金具を構成する一対の挟持金具担体と被挟持金具を下地材の上で締め付けると、挟持金具担体の係止部が下地材の幅方向の端部に係止し、下地材に対する固定状態が得られる。固定状態においては、挟持金具にかかる上からの荷重は、垂直片から傾斜片、接地片を介して下地材に伝達されるとともに、被挟持金具の支持脚を介して下地材に伝達され、下地材の比較的広い範囲で支持させる。一方、負圧が作用した場合には、上方へ引き上げられる挟持金具または被挟持金具の少なくともいずれか一方が、締結具を介して一体に結合されている他の部材の各部に荷重を分散しながら伝達し、下地材に対する固定状態を維持する。
【発明の効果】
【００１４】
この発明によれば、一対の挟持金具担体を締め付ける締結具による締め付けだけで下地材に対する固定が行えるので、作業性が良い。また、上からかかる荷重は挟持金具担体の接地片と被挟持金具の支持脚を介して比較的広い範囲で下地材に伝達し、上方への引き上げに対しては締結具で一体化された挟持金具担体と被挟持金具の各部に荷重を分散しながら伝達するので、固定状態において高い安定性と耐荷重性を得られる。
【図面の簡単な説明】
【００１５】
【図１】屋根板取り付け金具の斜視図。
【図２】屋根板取り付け金具の使用状態の正面図。
【図３】屋根板取り付け金具の固定状態を示す断面図。
【図４】屋根板取り付け金具の分解斜視図。
【図５】補助金具の一体化部分断面図。
【図６】屋根板取り付け金具の固定の仕方を示す斜視図。
【図７】屋根板取り付け金具の固定状態の側面図。
【図８】屋根板取り付け金具の固定状態の背面図。
【図９】他の例に係る屋根板取り付け金具の斜視図。
【図１０】他の例に係る屋根板取り付け金具の斜視図。
【図１１】図１０の屋根板取り付け金具の固定状態を示す断面図。
【図１２】図１０の屋根板取り付け金具の分解斜視図。
【図１３】図１０の屋根板取り付け金具の使用状態の正面図。
【図１４】図１０の屋根板取り付け金具の固定状態の側面図。
【図１５】図１０の屋根板取り付け金具の固定状態の背面図。
【発明を実施するための形態】
【００１６】
この発明を実施するための一形態を、以下図面を用いて説明する。
【００１７】
図１に、屋根板取り付け金具１１（以下、「取り付け金具」という）を下地材１２の上に固定した状態を示す。取り付け金具１１は、下地材１２を挟み付けて下地材１２上に固定される挟持金具３１を備えており、挟持金具３１を介して、図２に示したように屋根板１３を支持して屋根構造を構成するものである。
【００１８】
下地材１２としてはＨ鋼が使用され、取り付け金具１１はＨ鋼のフランジ１２ａの幅方向の両端部１２ｂをフランジ１２ａの幅方向で締め付けて固定される。また、取り付け金具１１の上部には、屋根板１３を取り付ける係止金具としての吊子１４が取り付けられて、吊子１４の上端の係止縁１４ａに屋根板１３が馳締めされて固定される。
【００１９】
吊子１４は、係止縁１４ａを上端に有する縦に延びる垂直部１４ｂと、垂直部１４ｂの下端から水平方向に延びる水平部１４ｃを有しており、垂直部１４ｂと水平部１４ｃが取り付け金具１１に面接触した状態で取り付けられる。
【００２０】
図１に例示の取り付け金具１１は、吊子１４が挟持金具３１に対して取り付けられる構造である。つまり、挟持金具３１を介して直接的に屋根板１３を支持する。
【００２１】
具体的に説明すると、挟持金具３１は、下地材１２の幅方向で対峙する一対の挟持金具担体３２，３３で構成され、挟持金具担体３２，３３同士を下地材１２の幅方向で締め付ける締結具５１と、挟持金具担体３２，３３同士の間に挟持される被挟持金具７１を備えている。
【００２２】
挟持金具担体３２，３３と被挟持金具７１は、所定幅の金属板をプレス加工で折り曲げたり切り欠いたりして製造されるものである。また締結具５１は、挟持金具担体３２，３３と被挟持金具７１の一部を貫通するボルト５２と、ボルト５２に螺合するナット５３で構成される。
【００２３】
一対の挟持金具担体３２，３３は、共に、下地材１２のウェブ１２ｃと同じ方向に向き上下方向に延びる平板上の垂直片３４と、垂直片３４の下端から下地材１２の幅方向外側下方に向けて斜めに延びる傾斜片３５と、傾斜片３５の下端から水平方向に延びる接地片３６と、接地片３６の先端から下方へ曲がって下地材１２の幅方向の端部１２ｂの外側に係止する係止部３７を有している。
【００２４】
垂直片３４は、前述の締結具５１で締め付けられる部分であって、取り付け金具１１の高さを考慮して適宜長さに形成され、幅方向の中間位置に、図３、図４に示したようにボルト５２を挿通するための角穴３４ａが形成されている。
【００２５】
傾斜片３５は、垂直片３４より下側の部分を曲げて形成され、長さや傾斜角度は、荷重を支持することと、下地材１２に対する固定時に傾斜片３５の下端が下地材１２の幅内に収まることを考慮して適宜設定される。前述の垂直片３４から傾斜片３５にかけての幅方向の両側部には、補強のためのリブ３８が上下方向に沿って膨出形成されている。
【００２６】
接地片３６は、図３に示したように下地材１２の幅方向の端部１２ｂの上面に接するものであり、荷重を支える必要な大きさに形成されている。
【００２７】
係止部３７は、下地材１２の上面に接する接地片３６の先を下に曲げて、接地片３６と係止部３７で側面視Ｌ字をなす形に形成されている。係止部３７の上下方向の長さは、下地材１２であるＨ鋼のフランジ１２ａの厚さよりも若干短く設定される。接地片３６と係止部３７がなす角部は、下地材１２のフランジ１２ａの角に当たる部分となる。
【００２８】
このような接地片３６と係止部３７には、これらを覆う補助金具４１が備えられる。補助金具４１は、接地片３６及び係止部３７と同じ幅の金属板で構成され、接地片３６の上面を被覆する上面板部４２と、係止部３７よりも外側を係止部３７との間に空間４３を形成しつつ覆う縦面部４４と、縦面部４４の下端から上面板部４２の下方位置に延びて、下地材１２の幅方向の端部１２ｂを下から挟み付ける挟圧片４５を有している。前述の空間４３を形成するため、上面板部４２は接地片３６よりも長く形成され、挟圧片４５は、下地材１２のフランジ１２ａに届くとともに十分な掛かり代を有する長さに形成されている。縦面部４４は、上面板部４２の下面と挟圧片４５の上面の間の長さが、係止部３７の長さよりも若干長く、下地材１２であるＨ鋼のフランジ１２ａを挟める長さに設定されている。
【００２９】
上面板部４２と挟圧片４５における幅方向の中間位置であって、上面板部４２を接地片３６の上に重ねたときに、係止部３７に近接する外側位置には、角穴４２ａ，４５ａが形成されている。この角穴４２ａ，４５ａは、挟圧片４５を上方に締め付ける緊結部材４６を備えるためのものである。緊結部材４６としては挟圧片４５側から上方に挿入されるボルト４６ａと、上面板部４２の上でボルト４６ａに螺合するナット４６ｂが用いられる。上面板部４２と挟圧片４５には、前述の挟持金具担体３２，３３のリブ３８と同様に補強のためのリブ４７が形成されている。なお、緊結部４６材は補助的なものであり、省略することもできる。
【００３０】
挟持金具担体３２，３３の接地片３６と補助金具４１の上面板部４２は、重ね合わせた状態で一体化されている。一体化はリベットなどの留め具を用いたり溶接したり、適宜の方法で行えるが、図５に示したように、補助金具４１の上面板部４２に形成された嵌入穴４２ｂと、挟持金具担体３２，３３の接地片３６に一体形成され上方に起立して上面板部４２の嵌入穴４２ｂに嵌入する筒部３６ａで構成するとよい。これは、いわゆるバーリング加工であり、筒部３６ａにおける嵌入穴４２ｂから上に出る部分はかしめられる。
【００３１】
補助金具４１が挟持金具担体３２，３３に対して一体化されるのと同様に、緊結部材４６は、補助金具４１に対して予め保持されている。
【００３２】
一対の挟持金具担体３２，３３は、垂直片３４から下の部分の構成については同一であるが、垂直片３４より上の部分は、屋根板１３を支持するために構造が相違する。
【００３３】
下地材１２に対する固定時に屋根の勾配方向の下側に位置する挟持金具担体３２（以下、「一方の金具担体３２」ともいう）は、上端部に、吊子１４を取り付ける取り付けボルト４８が設けられている。すなわち、一方の金具担体３２の垂直片３４の上端には、接地片３６と同じ方向に水平に張り出す支持片４８ａが幅全体にわたって形成されており、支持片４８ａの上面における幅方向の一方、具体的には屋根板１３を葺成してゆく方向の側に取り付けボルト４８が設けられている。支持片４８ａの取り付けボルト４８の周囲は吊子１４の水平部１４ｃが載置される部分であり、取り付けボルト４８は支持片４８ａの上面から上に向けて延びている。また、支持片４８ａの先端には下方に曲がる曲げ片４８ｂが形成され、強度の向上が図られている。
【００３４】
他方の挟持金具担体３３、つまり下地材１２に対する固定時に屋根の勾配方向の下側に位置する挟持金具担体３３（以下、「他方の金具担体３３」ともいう）は、前述の支持片３８ａよりも高い位置に形成されて屋根板１３を受ける受け片４９が形成されている。受け片４９には、垂直片３４に形成されたリブ３８が延設されている。受け片４９は、垂直片３４の上端における幅方向の片側半分の部位に形成され、取り付けボルト４８と屋根の勾配方向で並ぶ部位に、取り付けボルト４８に取り付けられた吊子１４の存在を許容する切欠き４９ａが設けられている。
【００３５】
一対の挟持金具担体３２，３３に挟まれる被挟持金具７１は、一つの金具で構成されており、挟持金具担体３２，３３の垂直片３４に挟持されるものであって、垂直片３４と同様に上下方向に延びる本体板部７２を有している。本体板部７２における挟持金具担体３２，３３の角穴３４ａに対応する位置には、ボルト５２が通る貫通穴７２ａが形成されている。
【００３６】
本体板部７２の長さは、下端位置が下地材１２の上面に接するほどに設定され、下端には、本体板部７２の厚さ方向、つまり下地材１２の幅方向の一方と他方に分かれて下地材１２に接する支持脚７３が形成されている。支持脚７３は方形状であり、本体板部７２の幅方向の中間位置に下端から適宜深さに形成したスリットを境に、互い違いの方向に９０度曲げて形成される。
【００３７】
被挟持金具７１の本体板部７２の上端における幅方向の片側半分には、取り付けボルト４８を有する挟持金具担体３２（一方の金具担体３２）の側に延びて屋根板１３を受ける受け片７４が形成されている。受け片７４は、他方の金具担体３３の受け片４９と協働して屋根板１３を受ける部分であり、他方の金具担体３３の受け片４９と背中合わせになる部位に同じ高さ同じ幅で形成されており、被挟持金具７１と挟持金具担体３２，３３を組み合わせたときには、一方の金具担体３２の支持片４８ａの上方に位置する。また、取り付けボルト４８に吊子１４を取り付けたときには、吊子１４の垂直部１４ｂが受け片４９，７４の側面に接する。
【００３８】
被挟持金具７１の受け片７４の先端には、下方へ曲がって下端が支持片４８ａの上面に接する脚片７４ａが形成されている。受け片７４と脚片７４ａには補強のためのリブ７５が下方又は内方に膨出形成されている。
【００３９】
以上のように構成された取り付け金具１１では、締結具５１を緩めて、図３に仮想線で示したように、一対の挟持金具担体３２，３３と被挟持金具７１の重なりを解いてから、図６に示したようにそれぞれの挟持金具担体３２，３３の係止部３７を下地材１２の所定位置の幅方向の端部１２ｂに係止する。このあと、締結具５１のナット５３を締めて、一対の挟持金具担体３２，３３で被挟持金具７１を挟み付ける。
【００４０】
すると、２つの挟持金具担体３２，３３の係止部３７と補助金具４１が下地材１２のフランジ１２ａの幅方向の端部１２ｂに係止し、挟持金具担体３２，３３の接地片３６が下地材１２に接地した状態でフランジ１２ａを幅方向に締め付ける状態が得られるとともに、被挟持金具７１の支持脚７３が下地材１２に接地する。
【００４１】
このように固定した後、必要に応じて、補助金具４１の緊結部材４６を締め付けることができる。これは、下地材１２であるＨ鋼のフランジ１２ａの厚さに公差等による相違が生じていることがあるためであり、挟持金具担体３２，３３とフランジ１２ａとの間が緩い場合には緊結部材４６を締め付けて補助金具４１の挟圧片４５を上方に変位させて、Ｈ鋼のフランジ１２ａを下から締め付けてフランジ１２ａを厚み方向に挟圧する。
【００４２】
取り付け金具１１を下地材１２の上に固定した後、取り付け金具１１の上端部の取り付けボルト４８に固定した吊子１４を介して屋根板１３を取り付けると、屋根の葺成が完了する。吊子１４は、取り付け金具１１の下地材１２に対する固定よりも前に取り付けられていても、固定のあとで取り付けられても、いずれでもよい。
【００４３】
図７に、取り付け金具１１の固定状態を屋根の葺成方向の先端側から見た状態を、図８には、取り付け金具１１の固定状態を屋根の勾配方向上側からみた状態を、吊子１４を仮想線で描いて示している。
【００４４】
前述のように、下地材１２に対する取り付け金具１１の固定は、締結具５１である一組のボルト５２とナット５３の締め付けで行えるので、複数のボルト止めを行わなければ固定できない構成とは異なって、作業性がよい。
【００４５】
また、固定状態において取り付け金具１１は、上からかかる荷重を、受け片４９，７４と支持片４８ａから、挟持金具担体３２，３３の垂直片３４、傾斜片３５、接地片３６と、被挟持金具７１の本体板部７２、支持脚７３を介して下地材１２に伝え、下地材１２の幅方向の比較的広い範囲で、広い接触面積を確保して支持させる。とくに、被挟持金具７１の受け片７４は、下端が支持片４８ａの上面に接する脚片７４ａを有しているので、受け片７４は支持片４８ａに支えられながらも強力に荷重を支持する。
【００４６】
一方、負圧が作用した場合には、吊子１４が上方へ引っ張られるが、吊子１４は、水平部１４ｃが支持片４８ａの上に固定された状態で垂直部１４ｂが受け片４９，７４の側面に当接しており、吊子１４の浮き上がりを抑制できるとともに、かかる荷重を受け片４９，７４で分散支持する。そして、一方の挟持金具担体３２の取り付けボルト４８が上方へ引き上げられる負荷がかかっても、その負荷は、締結具５１を介して一体に結合されている他の部材、つまり他方の挟持金具担体３３や被挟持金具７１に分散して伝達し、締結具５１の締め付け力による係止部３７の下地材１２に対する固定状態を維持する。このとき、補助金具４１に備えた緊結部材４６は、挟圧片４５の変形を積極的に阻止して、係止部３７の係止状態の維持に貢献する。
【００４７】
このため、固定状態において高い安定性と耐荷重性を得られる。
【００４８】
特に、挟持金具担体３２，３３の接地片３６が下地材１２の幅方向の端部１２ｂの上面に接するものであるので、下地材１２に固定する際の締め付け力も、荷重を支持する際の負荷の伝達も、直接に行えて、高い強度を得られる。
【００４９】
また、接地片３６と係止部３７を覆う補助金具４１を備えているので、係止部３７による係止が強固に行える。
【００５０】
しかも、補助金具４１には挟圧片４５を形成するとともに、挟圧片４５を上方に締め付ける緊結部材４６を備えたので、緊結部材４６が挟圧片４５の変形を抑制して係止状態の維持を積極的に行えるうえに、下地材１２の厚みの違いに対応でき、より強度の高い固定状態を得られる。
【００５１】
挟持金具担体３２，３３に対する補助金具４１の一体化は、嵌入穴４２ｂと筒部３６ａを有するバーリングによる加工で行っているので、部品点数の低減や軽量化が図れ、取扱い性も向上する。
【００５２】
さらに、一方の挟持金具担体３２に取り付けボルト４８を備えるとともに、他方の挟持金具担体３３に受け片４９を備えているので、締め付け力が発揮される部材を中心にして前述のような荷重の支持が直接に行えて、高い強度を得られる。
【００５３】
そのうえ、取り付けボルト４８を支持片４８ａの幅方向の片側に寄せて、受け片４９，７４をその反対側に寄せて、吊子１４を支持片４８ａの上に載置状態で取り付けるので、吊子を挟んで保持する場合のように、ねじれたような形状や、一部が細く脆弱性を有するような形状の部分を設けなくてもよい。このため、高い強度を得られる。
【００５４】
特に、一対の挟持金具担体３２，３３に挟まれて一体化する被挟持金具７１に、取り付けボルト４８を有する一方の挟持金具担体３２の側に延びて屋根板１３を受ける受け片７４を形成しているので、屋根板１３からかかる荷重を十分に支えることができるとともに、吊子１４の保持は垂直部１４ｂを接触した状態で行え、荷重の分散や吊子１４の保持も良好である。
【００５５】
以下、その他の例について説明する。この説明において、前述の構成と同一の部位については同一の符号を付してその詳しい説明を省略する。
【００５６】
図９は、他の例に係る取り付け金具１１の斜視図であり、この図に示すように、取り付け金具１１の挟持金具担体３２，３３の係止部３７は、接地片３６の先から下に延びる垂直部３７ａと、垂直部３７ａの下端から接地片３６の下方へ水平に延びる水平部３７ｂを有している。
【００５７】
接地片３６と係止部３７を覆う補助金具４１は、前述と同様に上面板部４２と縦面部４４と挟圧片４５を有し、接地片３６の上面と係止部３７の外側面の全体に重なり合う大きさに形成されている。補助金具４１の補強のためのリブ４７は、上面板部４２から挟圧片４５にかけて全体に形成されている。
【００５８】
このように構成された取り付け金具１１では、補助金具４１に緊結部材４６がないだけで、前述と同様に使用され、同様の作用を有する。
【００５９】
図１０に示した取り付け金具１１は、吊子１４が被挟持金具７１に対して取り付けられる構造である。つまり、挟持金具３１を介して間接的に屋根板１３を支持する。
【００６０】
つまり被挟持金具７１の上端部に、吊子１４を取り付ける取り付けボルト７６又は屋根板１３を受ける受け片７７，７８うちの少なくともいずれか一方が形成されている。
【００６１】
一対の挟持金具担体３２，３３は、全体が同一形状であり、図１に示した取り付け金具１１の場合と同様に、垂直片３４と、傾斜片３５と、接地片３６と、係止部３７を有している。接地片３６は、下地材１２の上面に直接に接するものではなく、別の部材である被挟持金具７１に接する（図１１、図１２参照）。
【００６２】
被挟持金具７１は、図１１に仮想線で示したように、互いに接離可能に２個設けられる。
【００６３】
これらの被挟持金具７１は、図１１、図１２に示したように、屋根板１３を取り付ける上端部を除いて同一形状である。同一形状の部位について先に説明すると、一対の挟持金具担体３２，３３に挟まれる本体板部７２は、下地材１２に接する位置まで下方に延びており、下端には下地材１２に接する支持脚７３を有している。支持脚７３は、被挟持金具７１の幅方向全体に形成されている。そして、この支持脚７３の先には、下地材１２の幅方向の端部１２ｂの上面に接する接面部７９が延設されている。
【００６４】
具体的には、本体板部７２の下端から直角に曲がって水平に延びる支持脚７３と一体の接面部７９が形成されている。本体板部７２と接面部７９の幅は、挟持金具担体３２，３３の幅よりも幅広である。逆に言えば、挟持金具担体３２，３３の幅を本体板部７２と接面部７９の幅よりも狭く設定している。
【００６５】
接面部７９の長さは、本体板部７２を下地材１２の幅方向の中間位置においたときに下地材１２の幅方向の端部１２ｂから突出する長さに形成されている。
【００６６】
接面部７９の先端には、下方に曲がる縦面部８１が形成され、縦面部８１の下端から接面部７９の下へ水平に延びて、下地材１２の幅方向の端部１２ｂを下から挟み付ける挟圧片８２が形成されている。縦面部８１と挟圧片８２の幅は接面部７９の幅と同一である。
【００６７】
接面部７９には、締結具５１で挟持金具担体３２，３３を重ねたときに係止部３７の進入を許容する溝状の貫通穴７９ａが形成されている。また、接面部７９の貫通穴７９ａよりも先端側（外側）には、挟圧片８２を上方に締め付ける緊結部材８３が備えられている。緊結部材８３はボルト８３ａとナット８３ｂで構成され、ボルト８３ａは角穴７９ｂ，８２ａに挿通される。
【００６８】
本体板部７２から支持脚７３、接面部７９の幅方向の両縁と、挟圧片８２の幅方向の両縁には、補強のために起立するリブ８４が形成されている。
【００６９】
被挟持金具７１のうち、下地材１２に対する固定時に屋根の勾配方向の下側に位置する一方の被挟持金具７１ａの上端部には、本体板部７２の上端位置から上に延びて水平に曲がって屋根板１３を受ける受け片７７が延設されている。受け片７７は、本体板部７２の幅方向の半分、具体的には屋根の葺成方向の反対側の半分に形成されている。
【００７０】
これに対して、被挟持金具７１のうち、下地材１２に対する固定時に屋根の勾配方向の上側に位置する他方の被挟持金具７１ｂの上端部には、吊子１４を取り付ける取り付けボルト７６と、屋根板１３を受ける受け片７８の双方が形成されている。つまり、本体板部７２の上端に、下端の支持脚７３及び接面部７９と同じ方向で支持脚７３及び接面部７９と平行に延びる支持片７６ａが、本体板部７２の幅全体に形成され、この支持片７６ａの幅方向の半分、具体的には屋根の葺成方向の側の半分の位置に取り付けボルト７６が立設されている。支持片７６ａにおける取り付けボルト７６を有しない半分側には、一方の被挟持金具７１ａの受け片７７に並ぶ受け片７８が、支持片７６ａの先端から上方に向けて逆Ｌ字状に曲げて形成されている。
【００７１】
このような挟持金具担体３２，３３と被挟持金具７１からなる取り付け金具１１は、緊結部材８３を被挟持金具７１に対して保持するとともに、挟持金具担体３２，３３を１つずつ被挟持金具７１に組み付けたのち、挟持金具担体３２，３３が一体になった被挟持金具７１同士を締結具５１によって組み合わせる。
【００７２】
使用に際しては、締結具５１を緩めて、図１１に仮想線で示したように被挟持金具７１同士を離して、下地材１２のフランジ１２ａの端部１２ｂに対して係止部３７と挟圧片８２を係止して、被挟持金具７１の接面部７９と支持脚７３を下地材１２の上面に接触させる。この状態で締結具５１を締め付けて、挟持金具担体３２，３３で被挟持金具７１を挟み付けると、係止部３７がフランジ１２ａの端部１２ｂに係止した状態と支持脚７３及び接面部７９が下地材１２に接した状態が維持される。
【００７３】
下地材１２に対する取り付け金具１１の固定後は、必要に応じて緊結部材８３による下地材１２の締め付けを行い、他方の被挟持金具７１ｂの上端に固定した吊子１４を利用して、図１３に示したように屋根板１３を取り付ける。
【００７４】
図１３は、取り付け金具１１の固定状態と屋根板１３の支持状態を屋根の勾配方向の下側から見た状態を示す。図１４は、取り付け金具１１の固定状態を屋根の葺成方向の先端側から見た状態を、図１５は、取り付け金具１１の固定状態を屋根の勾配方向上側からみた状態を、吊子１４を仮想線で描いて示している。
【００７５】
このような構成の取り付け金具１１では、前述の金具と同様の作用を有する。
【００７６】
特に、前述の効果に加えて、次のような利点を有する。
【００７７】
下地材１２の幅方向の端部１２ｂの上面に接する接面部７９が支持脚７３から延設されているので、下地材１２に対する広い接地面積が得られ、安定性が向上する。
【００７８】
下地材１２に対する固定に際して締結具５１を緩めた場合に、離れるのは２つの部材であるので、取扱い性が良い。
【００７９】
また、被挟持金具７１の接面部７９の先に、下地材１２の幅方向の端部１２ｂを下から挟み付ける挟圧片８２が形成されるとともに、挟圧片８２を上方に締め付ける緊結部材８３を備えているので、下地材１２の締め付けは、下地材１２の上面に接している部材によって直接的に行え、良好な締め付け状態が得られる。
【００８０】
さらに、被挟持金具７１の上端部に、吊子１４を取り付ける取り付けボルト７６又は屋根板１３を受ける受け片７７，７８のうちの少なくともいずれか一方を形成しているので、下地材１２の上面に接する部位を有する部材である被挟持金具７１で荷重を受けることができ、耐荷重性を高められる。特に、被挟持金具７１を２個ひと組み備えて、一方の被挟持金具７１ａに受け片７７のみを、他方の被挟持金具７１ｂに受け片７８と取り付けボルト７６を備えているので、安定性が良く、耐荷重性も固定強度も高い取り付け金具１１を得られる。
【００８１】
以上のほか、例えば下地材に接する接地片と接面部を共に備えてもよい。
【００８２】
また、係止金具には吊子以外のものを用いることもできる。
【００８３】
別体の補強金具を省略しつつ係止部と挟圧片を一体に形成してもよい。
【符号の説明】
【００８４】
１１…屋根板取り付け金具
１２…下地材
１３…屋根板
１４…吊子
３１…挟持金具
３２，３３…挟持金具担体
３４…垂直片
３５…傾斜片
３６…接地片
３６ａ…筒部
３７…係止部
４１…補助金具
４２ｂ…嵌入穴
４５…挟圧片
４６…緊結部材
４８…取り付けボルト
４９…受け片
５１…締結具
７１…被挟持金具
７３…支持脚
７４…受け片
７６…取り付けボルト
７７，７８…受け片
７９…接面部
８２…挟圧部
８３…緊結部材
【図１】
2019183478.tif 000003
【図２】
2019183478.tif 000004
【図３】
2019183478.tif 000005
【図４】
2019183478.tif 000006
【図５】
2019183478.tif 000007
【図６】
2019183478.tif 000008
【図７】
2019183478.tif 000009
【図８】
2019183478.tif 000010
【図９】
2019183478.tif 000011
【図１０】
2019183478.tif 000012
【図１１】
2019183478.tif 000013
【図１２】
2019183478.tif 000014
【図１３】
2019183478.tif 000015
【図１４】
2019183478.tif 000016
【図１５】
2019183478.tif 000017
【手続補正書】
【提出日】平成30年6月20日(2018.6.20)
【手続補正１】
【補正対象書類名】特許請求の範囲
【補正対象項目名】請求項３
【補正方法】変更
【補正の内容】
【請求項３】
前記下地材の幅方向の端部の上面に接する接面部が前記支持脚から延設された
請求項１に記載の屋根板取り付け金具。
【手続補正２】
【補正対象書類名】明細書
【補正対象項目名】００８４
【補正方法】変更
【補正の内容】
【００８４】
１１…屋根板取り付け金具
１２…下地材
１３…屋根板
１４…吊子
３１…挟持金具
３２，３３…挟持金具担体
３４…垂直片
３５…傾斜片
３６…接地片
３６ａ…筒部
３７…係止部
４１…補助金具
４２ｂ…嵌入穴
４５…挟圧片
４６…緊結部材
４８…取り付けボルト
４９…受け片
５１…締結具
７１…被挟持金具
７３…支持脚
７４…受け片
７６…取り付けボルト
７７，７８…受け片
７９…接面部
８２…挟圧片
８３…緊結部材
【手続補正３】
【補正対象書類名】図面
【補正対象項目名】図１０
【補正方法】変更
【補正の内容】
【図１０】
2019183478.tif 000018
【手続補正４】
【補正対象書類名】図面
【補正対象項目名】図１１
【補正方法】変更
【補正の内容】
【図１１】
2019183478.tif 000019
【手続補正５】
【補正対象書類名】図面
【補正対象項目名】図１２
【補正方法】変更
【補正の内容】
【図１２】
2019183478.tif 000020
【手続補正６】
【補正対象書類名】図面
【補正対象項目名】図１３
【補正方法】変更
【補正の内容】
【図１３】
2019183478.tif 000021
【手続補正７】
【補正対象書類名】図面
【補正対象項目名】図１４
【補正方法】変更
【補正の内容】
【図１４】
2019183478.tif 000022
【手続補正８】
【補正対象書類名】図面
【補正対象項目名】図１５
【補正方法】変更
【補正の内容】
【図１５】
2019183478.tif 000023